(57)【要約】【課題】ビデオカメラが、大容量の画像データをストリームデータへ変換する機能としたときに、フォーカス、露出、ホワイトバランス等のカメラ撮影設定を一旦リセットする場合があり、カメラ画が変わってしまうことがある。【解決手段】カメラと遠隔域からカメラ画像を視聴しながら操作可能な遠隔視聴操作システムであって、カメラは、撮像した画像について公衆回線等を利用して送信する手段と、前記送信とするときの第一のモードと、カメラ本体の操作による撮影、再生をおこなう第二のモードと、カメラ本体のパネルに警告表示をおこなう警告手段を持ち、第二のモードから第一のモードへ切り替えるときにカメラ設定が変わる場合は、前記警告手段により警告をおこなうことを特徴とする。【選択図】図１
2019009569.tif 000002
【特許請求の範囲】
【請求項１】
カメラと遠隔域からカメラ画像を視聴しながら操作可能な遠隔視聴操作システムであって、カメラは、撮像した画像について公衆回線を利用して送信する手段と、前記送信とするときの第一のモードと、カメラ本体の操作による撮影、再生をおこなう第二のモードと、カメラ本体のパネルに警告表示をおこなう警告手段を持ち、
第二のモードから第一のモードへ切り替えるときにカメラ設定が変わる場合は、前記警告手段により警告をおこなうことを特徴とする遠隔視聴システム。
【請求項２】
前記第二のモードから前記第一のモードへ切り替えるときにカメラ設定が変わらない場合は、前記警告手段による警告はおこなわないことを特徴とする請求項１に記載の前記遠隔視聴システム。
【請求項３】
前記第二のモードから前記第一のモードへ切り替えるときにカメラ設定が変わる場合は、前記警告手段による警告内に変更されるカメラ設定項目の表示をおこなうことを特徴とする請求項１に記載の遠隔視聴システム。
【請求項４】
カメラと遠隔域からカメラ画像を視聴しながら操作可能な遠隔視聴操作システムであって、カメラは、撮像した画像について公衆回線を利用して送信する手段と、前記送信とするときの第一のモードと、カメラ本体の操作による撮影、再生をおこなう第二のモードと、カメラ本体のパネルに警告表示をおこなう警告手段を持ち、
第二のモードから第一のモードへ切り替えるときにカメラ設定が変わる場合、第二のモードのカメラ設定を第一のモードへ引き継ぐか変更するかの選択の表示をおこない、引き継ぐ場合は第二のモードのカメラ設定とし、変更する場合は、カメラ設定の変更をおこなうことを特徴とする遠隔視聴システム。
【請求項５】
第二のモードから第一のモードへ切り替えるときにカメラ設定が変わらない合は、前記選択表示をおこなわないことを特徴とする請求項４に記載の遠隔視聴システム。
【発明の詳細な説明】
【技術分野】
【０００１】
本発明は、画像のネットワーク配信機能を有する撮像装置、ならびに情報処理装置で構成される遠隔視聴システムに関する。
【背景技術】
【０００２】
近年、ブロードバンド化が進み、インターネットをはじめとするネットワークの普及が進み、伝送帯域も拡大してきている。これにともない、大容量の画像データについてネットワークを利用して伝送するような装置は増えつつある。
【０００３】
撮影する画像の伝送と遠隔操作もインターネット等のネットワークを介しておこなう機能をもつビデオカメラが存在している。撮影する画像の伝送と遠隔操作もインターネット等のネットワークを介しておこなう機能としたときは、フォーカス、露出、ホワイトバランス等の設定を一旦リセットし、撮影する画像の伝送と遠隔操作をおこなう。また伝送された画像を受信する受信機器は、ビデオカメラの設定やビデオカメラの操作等の指示も可能とする操作機もかねる。また、ビデオカメラは撮影映像を圧縮符号化処理により符号化ビットストリーム形式の画像ストリームデータへ変換してパケットデータとしてネットワーク上へ伝送をおこなう。
【０００４】
操作機は、ストリームデータを一時的に保存をおこなう。操作機でストリーミング映像を再生する際、送信側のビデオカメラと接続を開始した時点で、一定量のデータを操作機の記憶媒体上に蓄えてから再生を開始する。また、同ネットワーク上でビデオカメラへ撮影操作等の指示を操作機側からおこなうことができる。
【０００５】
一方、各種動作設定状態をビューファインダ上に表示できるようにしたテレビカメラにおいて、動作設定状態が標準の設定状態以外のとき、ビューファインダと警告灯による表示をおこなうカメラ制御システムが提案されている（特許文献１参照）。
【先行技術文献】
【特許文献】
【０００６】
【特許文献１】特開平０５−２９２３５８号公報
【発明の概要】
【発明が解決しようとする課題】
【０００７】
しかしながら、上記従来例では、大容量の画像データをストリームデータへ変換して、インターネットを利用して送信するビデオカメラと、伝送された画像の受信とビデオカメラの設定や、ビデオカメラの操作等の指示についてインターネットを介して可能とする操作機において、以下のような問題があった。
【０００８】
ビデオカメラが、大容量の画像データをストリームデータへ変換する機能としたときに、フォーカス、露出、ホワイトバランス等のカメラ撮影設定を一旦リセットする場合があり、ユーザーが遠隔操作の操作機よりビデオカメラのストリームデータ画像の再生とすると、カメラ設定が変更となっているため、ビデオカメラからのカメラ画が変わってしまう。
【０００９】
ユーザーは、ビデオカメラのカメラ画が変わってしまうことをビデオカメラからのストリームデータ画像より認識していればよいが、ストリームデータ画像データは、ビデオカメラの液晶パネル表示より解像度、ビットレートが粗く認識しないままビデオカメラの撮影操作指示を出した場合、変わったビデオカメラのカメラ画で撮影されることとなってしまう。
【課題を解決するための手段】
【００１０】
上記の課題を解決するために、本発明に係る遠隔視聴システムは、
カメラと遠隔域からカメラ画像を視聴しながら操作可能な遠隔視聴操作システムであって、カメラは、撮像した画像について公衆回線等を利用して送信する手段と、前記送信とするときの第一のモードと、カメラ本体の操作による撮影、再生をおこなう第二のモードと、カメラ本体のパネルに警告表示をおこなう警告手段を持ち、
第二のモードから第一のモードへ切り替えるときにカメラ設定が変わる場合は、前記警告手段により警告をおこなうことを特徴としている。
【発明の効果】
【００１１】
本発明に係る遠隔視聴システムによれば、ストリーミングモードに移行するときにカメラ設定が変わってしまう場合は、警告表示をおこなうことにより、カメラ画が変更されることを認識してもらうことが可能となる。
【図面の簡単な説明】
【００１２】
【図１】第１、第２の実施形態における、遠隔視聴システム概念図
【図２】第１、第２の実施形態における、ビデオカメラの構成例を示すブロック図
【図３】第１、第２の実施形態における、携帯電話の構成例を示すブロック図
【図４】第１の実施形態における、ビデオカメラの表示図
【図５】第１の実施形態における、ビデオカメラの動作フローチャート
【図６】第１の実施形態における、警告表示テーブル
【図７】第２の実施形態における、ビデオカメラの表示図
【発明を実施するための形態】
【００１３】
以下、本発明を実施するための形態について、図面を参照しながら説明する。
【００１４】
＜第１の実施形態＞
図１は、本発明に係る遠隔視聴システムの実施例を用いた、遠隔操作及び画像配信システムを示している。
【００１５】
ビデオカメラ１は、三脚３で固定し、被写体４及び被写体５の撮影をおこない、画像・音声データをストリーミングデータとし、インターネット６を介してストリーミングデータを携帯電話７へ配信する。携帯電話７は配信されたストリーミングデータを取得するとともに、画像・音声データの再生をおこなう。また携帯電話７は、インターネット６を介してビデオカメラ１の制御をおこなう。
【００１６】
図２は、本発明にて実施されうるビデオカメラの構成例を示している。
【００１７】
図示のように、ビデオカメラ２００は、システム制御部２０１、撮影処理部２０４、映像音声信号処理部２０５、ディスプレイ制御部２０６、操作部２０７、メモリ２０８、記憶媒体２０９、無線通信制御部２１０が内部バス２１１を介して接続された構成を有する。システム制御部２０１はＣＰＵ、記憶媒体であるＲＯＭやＲＡＭ等を有し、記憶媒体に格納された制御プログラムに従って、ビデオカメラ２００の各部の動作を制御する。撮影処理部２０４は、レンズ２２０を制御して合焦動作をおこなうとともに、ＣＣＤ２２１等を制御して撮像動作をおこなう。映像音声信号処理部２０５はＣＣＤ２２１から出力される信号を処理するとともにマイク２２７からの信号も処理する。ディスプレイ制御部２０６には液晶ディスプレイ２２２が接続されており、ディスプレイ制御部２０６は液晶ディスプレイ２２２の表示を制御する。
【００１８】
操作部２０７は、タッチパネル２２５、本体スイッチ２２６を有し、これらの操作をシステム制御部２０１に出力する。タッチパネル２２５は、液晶ディスプレイ２２２上部に設定される。メモリ２０８には、映像音声信号処理部２０５で映像、音声の信号処理が施された撮影データが一時的に記憶される。記憶媒体２０９には、メモリ２０８に記憶されたデータの記録をおこなう。無線通信制御部２１０は、アンテナ２３０を通じて外部ネットワークへ接続し、メモリ２０８または記憶媒体２０９に記憶された撮影データをパケット化し、ストリーミングデータとし、携帯電話３００へストリーミングデータとして送信する。また、無線通信制御部２１０は、外部ネットワークを介しビデオカメラ２００の状態の送信と、携帯電話３００からの制御コマンド受信し、システム制御部２０１へおくる。
【００１９】
図３は、本発明にて実施されうる携帯電話の構成例を示している。
【００２０】
図示のように、携帯電話３００は、システム制御部３０１、映像音声信号処理部３０５、ディスプレイ制御部３０６、操作部３０７、メモリ３０８、記憶媒体３０９、無線通信制御部３１０が内部バス３１１を介して接続された構成を有する。システム制御部３０１はＣＰＵ、記憶媒体であるＲＯＭやＲＡＭ等を有し、記憶媒体に格納された制御プログラムに従って、携帯電話３００の各部の動作を制御する。映像音声信号処理部３０５は無線通信制御部３１０からのストリーミングデータの処理をおこない、スピーカー３２８、ディスプレイ制御部３０６を介して液晶ディスプレイ３２２へ出力する。ディスプレイ制御部３０６には液晶ディスプレイ３２２が接続されており、ディスプレイ制御部３０６は液晶ディスプレイ３２２の表示を制御する。操作部３０７は、タッチパネル３２５、本体スイッチ３２６を有し、これらの操作をシステム制御部３０１に出力する。タッチパネル３２５は、液晶ディスプレイ３２２上部に設定される。
【００２１】
メモリ３０８には、無線通信制御部３１０からのストリーミングデータの一時保存と、映像音声信号処理部３０５で映像、音声の信号処理が施された画像データが一時的に記憶される。記憶媒体３０９も同様に無線通信制御部３１０からのストリーミングデータの一時保存と、映像音声信号処理部３０５で映像、音声の信号処理が施された画像データが一時的に記憶される。無線通信制御部３１０は、アンテナ３３０を通じて外部ネットワークへ接続し、外部ネットワークを介して、ビデオカメラ２００より送信されたストリーミングデータをメモリ３０８または記憶媒体３０９に保存する。また無線通信制御部３１０は、システム制御部３０１からビデオカメラ２００への制御コマンドの送信と、ビデオカメラ２００の状態データの受信をおこない、状態データをシステム制御部３０１へおくる。
【００２２】
第１の実施形態では、ビデオカメラ２００は、携帯電話３００へストリーミング画像を送信するストリーミングモードと、ビデオカメラ２００単体で撮影動作をおこなう通常動作モードを持つ。
【００２３】
ビデオカメラ２００は、通常動作モードで起動し、ユーザーがタッチパネル２２５または本体スイッチ２２６を操作することにより、システム制御部２０１は、レンズ２２０、ＣＣＤ２２１、映像音声処理部２０５を制御するとともに、記憶媒体２０９へ撮影画像の記録を行い、撮影動作とする。
【００２４】
また、ユーザーがタッチパネル２２５または本体スイッチ２２６を操作でシステム制御部２０１は、撮影処理部２０４を制御することにより、レンズ２２０の合焦動作におけるフォーカス設定や、ＣＣＤ２２１を制御することにより、ホワイトバランス設定、露出の設定をおこなう。
【００２５】
また、フォーカス設定、露出設定、ホワイトバランス設定を自動でおこなうか、または手動でおこなうかの設定もユーザーがタッチパネル２２５または本体スイッチ２２６を操作によりおこなうことができる。
【００２６】
また、システム制御部２０１は、自動または手動の各種設定を、メモリ２０８に記憶をおこなう。通常動作モードからストリーミングモードに切り替えるには、ユーザーがタッチパネル２２５または本体スイッチ２２６を操作して、システム制御部２０１がディスプレイ制御部２０６を制御して液晶ディスプレイ２１１にストリーミングモードとするかの選択画面のメニュー表示をおこなう。
【００２７】
図４は、ビデオカメラの表示図であり、液晶ディスプレイ２２２に表示される。
【００２８】
前記選択画面のメニュー表示は、画面５０１となる。またストリーミングモードとしたときにフォーカス設定、露出設定、ホワイトバランス設定が変わるかをシステム制御部２０１が判断して画面５０１内にそれぞれの設定に対してカメラ画が変わる旨の警告表示をおこなう。また選択画面５０１は、フォーカス設定だが、画面５０３は露出設定、画面５０４はホワイトバランス設定となる。また複数の設定が切り替わる場合は、画面５０５の表示をおこない、カメラ画が変わる旨の警告表示をおこなう。
【００２９】
ユーザーがＯＮを選択することにより、液晶ディスプレイ２１１に画面５０２の表示をおこなう。ストリーミングモードとなると、ビデオカメラ２００が、携帯電話３００へストリーミング画像を送信するとともに、フォーカス設定、露出設定、ホワイトバランス設定を自動とし、携帯電話３００が液晶ディスプレイ３２２に画像の表示をおこなう。携帯電話３００は、ビデオカメラ２００から送信されたストリーミング画像をメモリ３０８または記憶媒体３０９へ一時記憶をおこなう。携帯電話３００は、ストリーミング画像を再生する際、ビデオカメラ２００と接続を開始した時点で、一定量のデータをメモリ３０８または記憶媒体３０９に蓄えてから再生を開始する。
【００３０】
図５は、本発明にて実施されうる遠隔視聴システムのビデオカメラ２００において、通常動作モードからストリーミングモードとするときの警告表示をおこなう動作フローチャートを示している。
【００３１】
Ｓ６０１において、システム制御部２０１は、警告表示に使用する警告表示Ｄａｔａに０をセットし、Ｓ６０２へ進む。
【００３２】
Ｓ６０２において、システム制御部２０１はストリーミングモードとするかの画面５０１のメニュー表示か否かを判断し、ストリーミングモードとするかの画面５０１の場合は、Ｓ６０３へ進み、違う場合はＳ６０９へ進む。
【００３３】
Ｓ６０３において、システム制御部２０１はフォーカス設定が自動か否かを判断し、フォーカス設定が自動の場合は、Ｓ６０５ヘ進み、違う場合はＳ６０４へ進む。
【００３４】
Ｓ６０４において、システム制御部２０１は警告表示に使用する警告表示Ｄａｔａに１をセットし、Ｓ６０５へ進む。
【００３５】
Ｓ６０５において、システム制御部２０１は露出設定が自動か否かを判断し、露出設定が自動の場合は、Ｓ６０７ヘ進み、違う場合はＳ６０６へ進む。
【００３６】
Ｓ６０６において、システム制御部２０１は警告表示に使用する警告表示Ｄａｔａに２を加算し、Ｓ６０７へ進む。
【００３７】
Ｓ６０７において、システム制御部２０１はホワイトバランス設定が自動か否かを判断し、ホワイトバランス設定が自動の場合は、Ｓ６０９ヘ進み、違う場合はＳ６０８へ進む。
【００３８】
Ｓ６０８において、システム制御部２０１は警告表示に使用する警告表示Ｄａｔａに４を加算し、Ｓ６０９へ進む
Ｓ６０９において、システム制御部２０１は警告表示に使用する警告表示Ｄａｔａの値により、ディスプレイ制御部２０６を制御して液晶ディスプレイ２１１に警告表示をおこなう。また、警告表示Ｄａｔａの値による警告表示は、図６に示す警告表示テーブルによる。
処理後、Ｓ６０１へ戻る。
【００３９】
以上のように本実施例においては、ビデオカメラ２００において、ストリーミングモードにするかの選択画面としたときに、ストリーミングモードに移行するとフォーカス設定、露出設定、ホワイトバランス設定のカメラ設定が変更される場合は、ストリーミングモードへ移行前に警告表示をおこない、カメラ設定が変更されることを通知することが可能となる。
【００４０】
＜第２の実施形態＞
第２の実施形態では、ビデオカメラ２００は、携帯電話３００へストリーミング画像を送信するストリーミングモードと、ビデオカメラ２００単体で撮影動作をおこなう通常動作モードを持つ。
【００４１】
ビデオカメラ２００は、通常動作モードで起動し、ユーザーがタッチパネル２２５または本体スイッチ２２６を操作することにより、システム制御部２０１は、レンズ２２０、ＣＣＤ２２１、映像音声処理部２０５を制御するとともに、記憶媒体２０９へ撮影画像の記録を行い、撮影動作とする。
【００４２】
また、ユーザーがタッチパネル２２５または本体スイッチ２２６を操作でシステム制御部２０１は、撮影処理部２０４を制御することにより、レンズ２２０の合焦動作におけるフォーカス設定や、ＣＣＤ２２１を制御することにより、ホワイトバランス設定、露出の設定をおこなう。
【００４３】
また、フォーカス設定、露出設定、ホワイトバランス設定を自動でおこなうか、または手動でおこなうかの設定もユーザーがタッチパネル２２５または本体スイッチ２２６を操作によりおこなうことができる。
【００４４】
また、システム制御部２０１は、自動または手動の各種設定を、メモリ２０８に記憶をおこなう。通常動作モードからストリーミングモードに切り替えるには、ユーザーがタッチパネル２２５または本体スイッチ２２６を操作して、液晶ディスプレイ２１１にストリーミングモードとするかの選択画面のメニュー表示をおこなう。
【００４５】
図７は、ビデオカメラの表示図であり、液晶ディスプレイ２２２に表示される。前記選択画面のメニュー表示は、画面９０１となる。
【００４６】
ユーザーがＯＮを選択すると、システム制御部２０１は、フォーカス設定、露出設定、ホワイトバランス設定が自動か否かを判断し、すべて自動である場合は、画面９０３へ移行してストリーミングモードとする。また、すべて自動でない場合は、液晶ディスプレイ２１１に画面９０２の表示をおこなう。画面９０２においては、カメラ設定を引き継ぐか否かの選択をユーザーに行い、ＮＯを選択した場合、システム制御部２０１は、フォーカス設定、露出設定、ホワイトバランス設定を自動とする。
【００４７】
ＹＥＳを選択した場合、システム制御部２０１はメモリ２０８に記憶した設定でフォーカス設定、露出設定、ホワイトバランス設定をおこなう。ストリーミングモードとなると、ビデオカメラ２００が、携帯電話３００へストリーミング画像を送信し、携帯電話３００が液晶ディスプレイ３２２に画像の表示をおこなう。携帯電話３００は、ビデオカメラ２００から送信されたストリーミング画像をメモリ３０８または記憶媒体３０９へ一時記憶をおこなう。携帯電話３００は、ストリーミング画像を再生する際、ビデオカメラ２００と接続を開始した時点で、一定量のデータをメモリ３０８または記憶媒体３０９に蓄えてから再生を開始する。
【００４８】
以上のように本実施例においては、ビデオカメラ２００において、ストリーミングモードに移行するときに、フォーカス設定、露出設定、ホワイトバランス設定のカメラ設定が変更される場合は、ストリーミングモードにおいても設定を引き継ぐか否かの選択をユーザーに対しておこなうことが可能となる。
【符号の説明】
【００４９】
１  ビデオカメラ、３  三脚、４，５  被写体、６  インターネット、７  携帯電話
【図１】
2019009569.tif 000003
【図２】
2019009569.tif 000004
【図３】
2019009569.tif 000005
【図４】
2019009569.tif 000006
【図５】
2019009569.tif 000007
【図６】
2019009569.tif 000008
【図７】
2019009569.tif 000009